(57)【要約】【課題】  操作スイッチが押されっぱなしになった状態を認知し易くする。【解決手段】  押圧力によりオン状態になるとともに前記押圧力が解放されるとオフ状態になる操作スイッチ４１，４２，４３と、該操作スイッチの出力信号に応じた制御をする制御回路４５と、制御回路４５からの指令により所定の送信信号を無線送信する送信回路４６と、制御回路４５に電力を供給するバッテリー４７とを備え、前記操作スイッチがオン状態である場合に、バッテリー４７が電力消費をする開閉装置用リモコン送信機において、前記操作スイッチのオン状態が所定時間以上継続した場合に、制御回路４５が通常動作とは異なる所定動作をするようにした。【選択図】  図５
2014179759.tif 000002
【特許請求の範囲】
【請求項１】
押圧力によりオン状態になるとともに前記押圧力が解放されるとオフ状態になる操作スイッチと、該操作スイッチの出力信号に応じた制御をする制御回路と、前記制御回路からの指令により所定の送信信号を無線送信する送信回路と、前記制御回路に電力を供給するバッテリーとを備え、前記操作スイッチがオン状態である場合に前記バッテリーが電力消費をする開閉装置用リモコン送信機において、
前記操作スイッチのオン状態が所定時間以上継続した場合に、前記制御回路が通常動作とは異なる所定動作をするようにしたことを特徴とする開閉装置用リモコン送信機。
【請求項２】
前記制御回路は、前記操作スイッチがオン状態になった直後に、前記通常動作として前記操作スイッチに対応する送信信号を前記送信回路から送信し、この送信の後に、前記オン状態が所定時間以上継続したか否かを判断することを特徴とする請求項１記載の開閉装置用リモコン送信機。
【請求項３】
前記制御回路による動作状態を報知する報知部を備え、前記所定動作として、前記報知部による報知を継続的に行うようにしたことを特徴とする請求項１又は２記載の開閉装置用リモコン送信機。
【請求項４】
前記報知部による報知として、報知音を継続的に発するようにしたことを特徴とする請求項３記載の開閉装置用リモコン送信機。
【請求項５】
前記報知部による報知を継続的に行った場合に、この報知を、前記操作スイッチがオフ状態になったことを条件に停止するようにしたことを特徴とする請求項３又は４記載の開閉装置用リモコン送信機。
【請求項６】
前記制御回路は、前記操作スイッチがオン状態になったことを条件に、前記通常動作として前記操作スイッチに対応する送信信号を前記送信回路から送信し、前記操作スイッチが前記オン状態になってから所定時間内に同操作スイッチがオフ状態になっていないことを条件に、前記所定動作として前記報知部による報知を継続的に行い、この報知を、同操作スイッチがオフ状態になったことを条件に停止するようにしたことを特徴とする請求項１乃至５何れか１項記載の開閉装置用リモコン送信機。
【発明の詳細な説明】
【技術分野】
【０００１】
本発明は、シャッター装置等の開閉装置を遠隔操作するのに好適な開閉装置用リモコン送信機に関するものである。
【背景技術】
【０００２】
従来、この種の発明には、例えば、特許文献１（図３参照）に記載されたもののように、シャッターの開動作、閉動作又は停止などを操作する操作スイッチ（操作部４１）と、該操作スイッチの出力信号に応じた制御をする制御回路（４２）と、前記制御回路からの指令により所定の送信信号を無線送信する送信回路（４３）と、前記制御回路等に電力を供給するバッテリー（４６）とを備えた開閉装置用リモコン送信機がある。
この開閉装置用リモコン送信機によれば、例えば、前記操作スイッチの開スイッチが１回押された場合には、前記操作スイッチが、開閉装置を開放動作させるための制御コードを含む信号を送信し、その信号がシャッター装置の受信部により受信されて、該受信部から発せられる制御指令に応じてシャッター装置が開放動作を開始する。したがって、前記開閉装置用リモコン送信機を用いて、例えば車の中等からシャッター装置を容易に遠隔操作することができ、その利便性が良好である。
【０００３】
しかしながら、前記従来技術では、例えば、リモコン送信機が車内のダッシュボードやバッグ内等に収納されたり、リモコン送信機の上に物が置かれたり等して、操作スイッチに物が当接し、この当接状態の継続により前記操作スイッチ押されっぱなしになると、前記リモコン送信機のバッテリーを消耗してしまうおそれがある。
【先行技術文献】
【特許文献】
【０００４】
【特許文献１】特開２００２−４７８６３号公報
【発明の概要】
【発明が解決しようとする課題】
【０００５】
本発明は、上記従来事情に対処することを課題の一例とするものである。すなわち、操作スイッチが押されっぱなしになった状態を認知し易くすること、操作スイッチの押されっぱなしによりバッテリーが消耗してしまうのを防ぐこと等、が本発明の目的である。
【課題を解決するための手段】
【０００６】
上記課題を解決するための一手段は、押圧力によりオン状態になるとともに前記押圧力が解放されるとオフ状態になる操作スイッチと、該操作スイッチの出力信号に応じた制御をする制御回路と、前記制御回路からの指令により所定の送信信号を無線送信する送信回路と、前記制御回路に電力を供給するバッテリーとを備え、前記操作スイッチがオン状態である場合に前記バッテリーが電力消費をする開閉装置用リモコン送信機において、前記操作スイッチのオン状態が所定時間以上継続した場合に、前記制御回路が通常動作とは異なる所定動作をするようにしたことを特徴とする。
【発明の効果】
【０００７】
本発明は、以上説明したように構成されているので、操作スイッチが押されっぱなしになった状態を、通常動作とは異なる所定動作により認知することができ、ひいては、操作スイッチの押されっぱなしによるバッテリーの消耗を防ぐことができる。
【図面の簡単な説明】
【０００８】
【図１】本発明に係る開閉装置用リモコン送信機を用いた開閉装置の一例を示す模式図である。
【図２】開閉装置用リモコン送信機の一例を示すブロック図である。
【図３】開閉装置用リモコン送信機から送信される信号のフォーマットである。
【図４】受信部の一例を示す制御回路図である。
【図５】開閉装置用リモコン送信機における制御回路の動作を示すフローチャートである。
【図６】図５に続くフローチャートである。
【図７】図６に続くフローチャートである。
【発明を実施するための形態】
【０００９】
本実施の形態の第一の特徴は、押圧力によりオン状態になるとともに前記押圧力が解放されるとオフ状態になる操作スイッチと、該操作スイッチの出力信号に応じた制御をする制御回路と、前記制御回路からの指令により所定の送信信号を無線送信する送信回路と、前記制御回路に電力を供給するバッテリーとを備え、前記操作スイッチがオン状態である場合に前記バッテリーが電力消費をする開閉装置用リモコン送信機において、前記操作スイッチのオン状態が所定時間以上継続した場合に、前記制御回路が通常動作とは異なる所定動作をするようにした。
この構成によれば、操作スイッチのオン状態が所定時間以上継続した場合に、この状態を、通常動作とは異なる所定動作によって認知したり、遮断したりすることができ、ひいては、バッテリーの消耗を防ぐことが可能となる。
【００１０】
第二の特徴としては、前記制御回路は、前記操作スイッチがオン状態になった直後に、前記通常動作として前記操作スイッチに対応する送信信号を前記送信回路から送信し、この送信の後に、前記オン状態が所定時間以上継続したか否かを判断する。
この構成によれば、操作スイッチがオン状態になった直後に通常動作として前記操作スイッチに対応する送信信号が前記送信回路から送信されるため、操作スイッチの操作に応じて開閉装置を速やかに制御することができ、ひいては、操作スイッチのオン状態が所定時間以上継続したか否かの判断により開閉装置に対する制御が遅れるようなことを防ぐことができる。
【００１１】
第三の特徴としては、前記制御回路による動作状態を報知する報知部を備え、前記所定動作として、前記報知部による報知を継続的に行うようにした。
この構成によれば、操作スイッチのオン状態が所定時間以上継続した場合に、この状態を、報知部による報知により認知することができる。
【００１２】
第四の特徴としては、前記報知部による報知として、報知音を継続的に発するようにした。
ここで、前記「報知音を継続的に発する」という構成には、連続音を継続して発する態様や、断続音を継続して発する態様を含む。
前記特徴によれば、例えば操作スイッチが物等がダッシュボードやバック内等に隠されている場合でも、その状態を聴覚的に認知させ解除操作を促すことができる。
【００１３】
第五の特徴としては、前記報知部による報知を継続的に行った場合に、この報知を、前記操作スイッチがオフ状態になったことを条件に停止するようにした。
この構成によれば、報知部による報知が継続的に行われた場合に、この報知を、操作スイッチをオフにする操作によって停止することができる。
【００１４】
第六の特徴としては、前記制御回路は、前記操作スイッチがオン状態になったことを条件に、前記通常動作として前記操作スイッチに対応する送信信号を前記送信回路から送信し、前記操作スイッチが前記オン状態になってから所定時間内に同操作スイッチがオフ状態になっていないことを条件に、前記所定動作として前記報知部による報知を継続的に行い、この報知を、同操作スイッチがオフ状態になったことを条件に停止するようにした。
この構成によれば、例えば、操作スイッチが物等に当接してオン状態に維持された場合に、その状態を聴覚的に認知させて解除操作を促すことができ、ひいては、バッテリーの消耗を防ぐことができる。
【００１５】
また、さらに好ましい特徴としては、複数の前記操作スイッチを備え、これら複数の操作スイッチのうちの所定の操作スイッチがオン状態となったことを条件に、前記通常動作として前記操作スイッチに対応する送信信号を前記送信回路から送信し、この後、前記所定の操作スイッチ以外の他の操作スイッチのオンオフ状態を判断し、前記他の操作スイッチがオン状態でない場合には、前記所定の操作スイッチが前記オン状態になってから所定時間内に同操作スイッチがオフ状態になっていないことを条件に、前記所定動作として前記報知部による報知を継続的に行い、この報知を、前記所定の操作スイッチがオフ状態になったことを条件に停止し、また、前記他の操作スイッチがオン状態である場合には、前記所定の操作スイッチと前記他の操作スイッチの組み合わせ状態に対応する送信信号を前記送信回路から送信する（図５〜図７参照）。
この構成によれば、前記所定の操作スイッチと前記他の操作スイッチの組み合わせ操作により、該組み合わせ操作に応じた特定の指令を送信することができる。
【００１６】
次に、上記特徴を有する好ましい実施例を、図面に基づいて詳細に説明する。
【００１７】
本実施例の開閉装置用リモコン送信機は、住宅やビル、倉庫、工場、地下街、トンネル、車両の荷台等の躯体の開口部分や内部に配設され、前記開口部分を開閉したり、躯体内部の空間を仕切ったり開放したりするシャッター装置である開閉装置１に適用される。
【００１８】
開閉装置１は、空間を仕切ったり開放したりするようにスライドする開閉体１０と、開閉体１０をその開放方向側で収納したり繰り出したりする収納部２０と、開閉体１０の横幅方向の端部を囲んで開閉方向へ案内するガイドレール３０と、開閉体１０の動作を遠隔操作するためのリモコン送信機４０とを具備している（図１参照）。
【００１９】
開閉体１０は、平面視略矩形状の開閉体本体１１と、該開閉体本体１１の下端側に接続されるとともに当接対象部位Ｐ（床面や地面、枠部材等）に当接される座板部材１２とからなり、収納部２０内の図示しない巻取軸によって巻き取られたり繰り出されたりして開閉動作する。
【００２０】
収納部２０は、開閉体幅方向へ長尺な略直方体状の収納ケース２１と、該収納ケース２１内で開閉体１０を巻き取ったり繰出したりする巻取軸（図示せず）と、該巻取軸をチェーン及びスプロケット等の動力伝達手段（図示せず）を介して駆動回転させたり制動したりする開閉機２２と、無線信号を受信して開閉機２２を制御する受信部２３とを具備している（図１参照）。
【００２１】
受信部２３は、図４に示すように、リモコン送信機４０から送信される電波を捕捉するためのアンテナ部２３ｈ、捕捉した電波を復調する復調回路２３ｉ、該復調回路２３ｉにより復調された信号に応じて制御信号を出力する制御回路２３ｊ、該制御回路２３ｊから出力される制御信号により作動する複数のリレー２３ａ，２３ｂ，２３ｃ等を具備している。
【００２２】
制御回路２３ｊは、リモコン送信機４０から送信され復調回路２３ｉによって復調された信号やその他の入力信号（例えば、登録スイッチ２３ｇや、図示しない障害物感知部、センサー等の信号）を処理して、複数のリレー２３ａ，２３ｂ，２３ｃ等を制御するための制御指令を出力する電気回路である。この制御回路２３ｊは、例えば、マイコン回路やシーケンサー等のプログラムドロジック回路、電子回路あるいはワイヤードロジック回路等により構成される。
【００２３】
前記複数のリレーは、図示例によれば、開閉機２２を開放方向へ回転させるための開リレー２３ａ、開閉機２２を閉鎖方向へ回転させるための閉リレー２３ｂ、図示しないブレーキ装置を作動させて開閉機２２の回転を停止する停止リレー２３ｃ等である。
これら前記複数のリレー２３ａ，２３ｂ，２３ｃは、制御回路２３ｊからの信号により所定時間（例えば１秒間）だけ作動し、この作動により、開閉機２２やブレーキ装置等に電力を供給するための電磁開閉器（図示せず）をオン状態に自己保持したり、該自己保持を解除したりするように電気配線される。
【００２４】
なお、図４中、符号２３ｅは制御回路２３ｊへ電源を供給する電源回路である。また、符号２３ｋは復調回路２３ｉによる受信が行われた際に発光する発光部、符号２３ｆは電源回路２３ｅが作動した際に点灯する発光部、符号２３ｄは受信部２３の制御回路２３ｊの動作に応じて点灯する発光部であり、これら発光部は、例えば発光ダイオードにより構成される。
また、図４中、登録スイッチ２３ｇは、リモコン送信機４０から送信されるＩＤコードを図示しない記憶装置（例えば不揮発性メモリ等）に記憶する際に、制御回路２３ｊによる処理を登録モードに切り替えるスイッチである。
【００２５】
また、ガイドレール３０は、開閉体１０の幅方向の端部を囲む断面略コ字状の金属製部材であり、開閉体１０によって着座される着座対象部位Ｐ（例えば、床面や地面、枠部材等）と収納部２０との間にわたって配設されている（図１参照）。
【００２６】
また、リモコン送信機４０は、図１〜図３に例示するように、矩形状等のケース４０ａの表面に、開閉体１０を開放動作させるための開スイッチ４１、開閉体１０の動作を停止するための停止スイッチ４２、開閉体１０を閉鎖動作させるための閉スイッチ４３等の操作スイッチを露出するとともに、これらスイッチによる操作を光及び／又は音により報知する報知部４４と、前記操作スイッチの操作に応じた制御動作をする制御回路４５と、制御回路４５からの指令により所定の送信信号を無線送信する送信回路４６と、制御回路４５等の各部に電力を供給するバッテリー４７とを備える。
【００２７】
操作スイッチ（詳細には、開スイッチ４１、停止スイッチ４２、閉スイッチ４３）の各々は、指等で押された際の押圧力によりオン状態になるとともに前記押圧力が解放されるとオフ状態になるスイッチ、すなわち押している間だけオン信号を出力する自動復帰型の押しボタンスイッチであり、前記オン状態の出力信号やオフ状態の出力信号を、閉接点信号又は開接点信号等の無電圧信号としている。この操作スイッチは、例えばメンブレンスイッチやタッチパネル等により構成することが可能である。
【００２８】
報知部４４は、図示される好ましい一例によれば、制御回路４５の制御信号により発光する発光部（例えば発光ダイオード）と、同制御回路４５の制御信号により報知音を発する発音部（例えば図示しないスピーカ等）とを具備している。
前記発光部による発光は、点滅又は点灯とすることが可能である。
同様に、前記発音部により発せられる報知音は、連続音や断続音とすることが可能であり、さらに、その音色も、ブザー音やメロディー音、その他の音にすることが可能である。
【００２９】
制御回路４５は、操作スイッチ４１，４２，４３の操作に応じて報知部４４及び送信回路４６等を制御する電子回路であり、例えば、マイコンや記憶装置等を具備して構成され、前記記憶装置には、当該リモコン送信機４０の固有のＩＤコードや、当該リモコン送信機４０の制御プログラム等を記憶している。
この制御回路４５は、操作スイッチ４１，４２，４３の何れかがオンなった際に、電源がオンになるように電気配線されている。また、この制御回路４５は、電源がオンにされた後、操作スイッチ４１，４２，４３の全てがオフになった場合には、そのオフになった時点から所定時間（例えば３秒又は５秒）経過後に、電源がオフになるように構成されている。
したがって、例えば、操作スイッチ４１，４２，４３の何れかが、押されっぱなしになった場合には、その間中、制御回路４５の電源は連続的にオンになり、同スイッチが離されると前記所定時間経過後に制御回路４５の電源がオフになる。
【００３０】
送信回路４６は、図３にフォーマットを例示するように、ヘッダーコードや、ＩＤコード、制御コード等を含む原送信信号を、例えばASK（Amplitude Shift Keying）変調やFSK（Frequency Shift Keying）変調等の適宜な変調方式によって変調し送信アンテナ４６ａから空間へ発信するように構成されている。
【００３１】
バッテリー４７は、例えば、マンガン電池やアルカリ電池や水銀電池等、電池切れした際に交換の可能な一般的な電池とすればよいが、他例としては、ニッケル水素充電池やリチウムイオン電池等の充電可能な電池とすることも可能である。
このバッテリー４７は、制御回路４５や送信回路４６等の電力消費機器に電力を供給するように電気配線されている。
【００３２】
次に、制御回路４５での処理を主としたリモコン送信機４０による制御を、図５〜図７に示すフローチャートに基づいて詳細に説明する。
【００３３】
例えば、停止スイッチ４２を押す操作や、停止スイッチ４２に物等が当接して、停止スイッチ４２に押圧力が作用した場合には、該停止スイッチ４２がオン状態になるとともに、制御回路４５にバッテリー４７の電力が供給される。
また、停止スイッチ４２に押圧力が作用しなかった場合には、停止スイッチ４２はオフ状態のままであるので、制御回路４５にバッテリー４７の電力は供給されない。
【００３４】
最初のステップ１では、停止スイッチ４２がオン状態になれば、制御回路４５の電源がオンになった直後に、次のステップ２（図５参照）へ処理が進められ、そうでなければ、制御回路４５の電源がオフのまま、後述するステップ１１（図６参照）へ処理がジャンプする。
【００３５】
次に、制御回路４５は、前記ステップ１にて停止スイッチ４２がオンになった直後から、図示しないタイマーによるカウントを開始するとともに、次のステップ２を実行する。
ステップ２では、報知部４４の発光部（ＬＥＤ等）を所定時間（例えば１秒間）点灯するとともに、その点灯中に、次のステップ３へ処理を進める。
【００３６】
ステップ３では、報知部４４の発音部（スピーカ等）を所定時間（例えば１秒間）出力させるとともに、その出力中に、次のステップ４へ処理を進める。
【００３７】
ステップ４では、制御回路４５が、開閉体１０を停止させるための制御コードを含む信号（停止信号）を送信回路４６へ送信し、この停止信号を、送信回路４６が無線送信信号としてアンテナ４６ａから発信する。
【００３８】
次のステップ５では、停止スイッチ４２以外の他の操作スイッチ（開スイッチ４１及び停止スイッチ４２）のオンオフ状態を判断し、前記他の操作スイッチ（開スイッチ４１及び停止スイッチ４２）の何れかがオン状態でない場合には、次のステップ６へ処理を進め、そうでなければ処理をステップ６ａへジャンプする。
【００３９】
ステップ６では、停止スイッチ４２が前記ステップ１にてオン状態になってから所定時間内に同停止スイッチ４２がオフ状態になっていないか（換言すれば所定時間以上オン状態であるか）を判断し、オフ状態になっていなければ次のステップ７へ処理を進め、そうでなければ処理をステップ１へ戻す。
なお、このステップ６における前記所定時間は、前記ステップ１の直後に作動させた前記タイマーが所定のカウント値に達するまでの時間とすればよく、例えば、１０秒程度に設定される。
また、停止スイッチ４２のオフ状態の判断は、詳細には、停止スイッチ４２によるオフ信号（例えば開接点信号）が制御回路４５に入力されたか否かの判断とすればよい。
また、前記所定時間内に停止スイッチ４２がオフ状態にされた場合には、このオフ状態になった時点から所定時間（例えば３秒又は５秒）経過後に制御回路４５の電源が切れるが、この電源切断の前に、前記ステップ１へ処理が戻される。
【００４０】
ステップ７では、報知部４４による報知を継続的に行い、この報知を継続しながら次のステップ８へ処理を進める。
このステップ７における前記報知は、例えば、発光部（ＬＥＤ）による点滅又は点灯の継続や、発音部（スピーカー）による断続音又は連続音の継続とすればよく、特に聴覚的な認知を可能にする観点から、少なくとも発音部による報知を含むのが好ましい。
【００４１】
ステップ８では、停止スイッチ４２がオン状態からオフ状態に変化するのを待ち、オフ状態となった場合にはつぎのステップ９へ処理を進める。
【００４２】
ステップ９では、報知部４４による報知を停止する。
すなわち、ステップ８の時点で、例えば、停止スイッチ４２に対する押圧力が解除された場合には、報知部４４による報知（例えば、断続音等の継続）を停止する。
【００４３】
また、ステップ６ａでは、停止スイッチ４２と、開スイッチ４１又は閉スイッチ４３との組み合わせ状態に対応する送信信号を、送信回路４６から発信し、処理を上記ステップ１へ戻す。
【００４４】
ここで、前記「組み合わせ状態」とは、ステップ１にて停止スイッチ４２がオン状態になったままステップ５にて開スイッチ４１もオン状態になった組み合わせ状態、又は、ステップ１にて停止スイッチ４２がオン状態になったままステップ５にて開スイッチ４１もオン状態になった組み合わせ状態を意味する。
そして、前者の組み合わせ状態の場合には、例えば、障害物感知装置やその他のセンサによる感知信号を無視して、強制的に開閉体１０を開放動作させるための制御コードが含まれた送信信号を、送信回路４６から発信する。
また、後者の組み合わせ状態の場合には、例えば、障害物感知装置やその他のセンサによる感知信号を無視して、強制的に開閉体１０を閉鎖動作させるための制御コードが含まれた送信信号を、送信回路４６から発信する。
【００４５】
また、ステップ１１（図６参照）では、開スイッチ４１がオン状態になるのに伴って制御回路４５の電源がオンになった直後に、次のステップ１２へ処理が進められ、開スイッチ４１がオン状態にならなかった場合には、制御回路４５の電源をオフのまま、後述するステップ２１（図７参照）へ処理をジャンプする。
【００４６】
次に、制御回路４５は、前記ステップ１１にて開スイッチ４１がオンになった直後から、図示しないタイマーによるカウントを開始するとともに、次のステップ１２を実行する。
ステップ１２では、報知部４４の発光部（ＬＥＤ等）を所定時間（例えば１秒間）点灯するとともに、その点灯中に、次のステップ１３へ処理を進める。
【００４７】
ステップ１３では、報知部４４の発音部（スピーカ等）を所定時間（例えば１秒間）出力させるとともに、その出力中に、次のステップ１４へ処理を進める。
【００４８】
ステップ１４では、制御回路４５が、開閉体１０を開放動作させるための制御コードを含む信号（開放信号）を送信回路４６へ送信し、この開放信号を、送信回路４６が無線送信信号としてアンテナ４６ａから発信する。
【００４９】
次のステップ１５では、開スイッチ４１以外の他の操作スイッチ（停止スイッチ４２又は閉スイッチ４３）のオンオフ状態を判断し、前記他の操作スイッチの何れかがオン状態でない場合には、次のステップ１６へ処理を進め、そうでなければ処理をステップ１６ａへジャンプする。
【００５０】
ステップ１６では、開スイッチ４１が前記ステップ１１にてオン状態になってから所定時間内に同開スイッチ４１がオフ状態になっていないか（換言すれば所定時間以上オン状態であるか）を判断し、オフ状態になっていなければ次のステップ１７へ処理を進め、そうでなければ処理をステップ１へ戻す。
なお、このステップ１６における前記所定時間は、前記ステップ１１の直後に作動させた前記タイマーが所定のカウント値に達するまでの時間とすればよく、例えば、１０秒程度に設定される。
また、前記所定時間内に開スイッチ４１がオフ状態にされた場合には、このオフ状態になった時点から所定時間（例えば３秒又は５秒）経過後に制御回路４５の電源が切れるが、この電源切断の前に、前記ステップ１へ処理が戻される。
【００５１】
ステップ１７では、報知部４４による報知を継続的に行い、この報知を継続しながら次のステップ１８へ処理を進める。
このステップ１７における前記報知は、前記ステップ７と同様の報知とすればよい。
【００５２】
ステップ１８では、開スイッチ４１がオン状態からオフ状態に変化するのを待ち、オフ状態となった場合にはつぎのステップ１９へ処理を進める。
ステップ１９では、報知部４４による報知を停止して、処理を上記ステップ１へ戻す。
【００５３】
また、ステップ１６ａでは、開スイッチ４１と、停止スイッチ４２又は閉スイッチ４３との組み合わせ状態に対応する送信信号を、送信回路４６から発信し、処理を上記ステップ１へ戻す。
図示例によれば、開スイッチ４１と停止スイッチ４２との組み合わせ状態となった場合に、障害物感知装置やその他のセンサによる感知信号を無視して、強制的に開閉体１０を開放動作させるための制御コードが含まれた送信信号を、送信回路４６から発信する。
また、開スイッチ４１と閉スイッチ４３との組み合わせ状態となった場合には、開閉体１０に設けらて開閉動作可能な小窓（図示せず）を、換気採光等のために開放させるための制御コードが含まれた送信信号を、送信回路４６から発信する。
【００５４】
また、ステップ２１（図７参照）では、閉スイッチ４３がオン状態になるのに伴って制御回路４５の電源がオンになった直後に、次のステップ２２（図７参照）へ処理が進められ、閉スイッチ４３がオン状態にならなかった場合には、制御回路４５の電源をオフのまま、上記ステップ１（図５参照）へ処理を戻す。
【００５５】
次に、制御回路４５は、前記ステップ２１にて閉スイッチ４３がオンになった直後から、図示しないタイマーによるカウントを開始するとともに、次のステップ２２を実行する。
ステップ２２では、報知部４４の発光部（ＬＥＤ等）を所定時間（例えば１秒間）点灯するとともに、その点灯中に、次のステップ２３へ処理を進める。
【００５６】
ステップ２３では、報知部４４の発音部（スピーカ等）を所定時間（例えば１秒間）出力させるとともに、その出力中に、次のステップ２４へ処理を進める。
【００５７】
ステップ２４では、制御回路４５が、開閉体１０を閉鎖動作させるための制御コードを含む信号（閉鎖信号）を送信回路４６へ送信し、この閉鎖信号を、送信回路４６が無線送信信号としてアンテナ４６ａから発信する。
【００５８】
次のステップ２５では、閉スイッチ４３以外の他の操作スイッチ（開スイッチ４１又は停止スイッチ４２）のオンオフ状態を判断し、前記他の操作スイッチの何れかがオン状態でない場合には、次のステップ２６へ処理を進め、そうでなければ処理をステップ２６ａへジャンプする。
【００５９】
ステップ２６では、閉スイッチ４３が前記ステップ２１にてオン状態になってから所定時間内に同閉スイッチ４３がオフ状態になっていないか（換言すれば所定時間以上オン状態であるか）を判断し、オフ状態になっていなければ次のステップ２７へ処理を進め、そうでなければ処理をステップ１へ戻す。
なお、このステップ２６における前記所定時間は、前記ステップ２１の直後に作動させた前記タイマーが所定のカウント値に達するまでの時間とすればよく、例えば、１０秒程度に設定される。
また、前記所定時間内に閉スイッチ４３がオフ状態にされた場合には、このオフ状態になった時点から所定時間（例えば３秒又は５秒）経過後に制御回路４５の電源が切れるが、この電源切断の前に、前記ステップ１へ処理が戻される。
【００６０】
ステップ２７では、報知部４４による報知を継続的に行い、この報知を継続しながら次のステップ２８へ処理を進める。
このステップ２７における前記報知は、前記ステップ７及びステップ１７と同様の報知とすればよい。
【００６１】
ステップ２８では、閉スイッチ４３がオン状態からオフ状態に変化するのを待ち、オフ状態となった場合にはつぎのステップ２９へ処理を進める。
ステップ２９では、報知部４４による報知を停止して、処理を上記ステップ１へ戻す。
【００６２】
また、ステップ２６ａでは、閉スイッチ４３と、開スイッチ４１又は停止スイッチ４２との組み合わせ状態に対応する送信信号を、送信回路４６から発信し、処理を上記ステップ１へ戻す。
図示例によれば、閉スイッチ４３と停止スイッチ４２との組み合わせ状態となった場合に、障害物感知装置やその他のセンサによる感知信号を無視して、強制的に開閉体１０を閉鎖動作させるための制御コードが含まれた送信信号を、送信回路４６から発信する。
また、閉スイッチ４３と開スイッチ４１との組み合わせ状態となった場合には、開閉体１０に設けられた開閉動作可能な小窓（図示せず）を、換気採光等のために開放させるための制御コードが含まれた送信信号を、送信回路４６から発信する。
【００６３】
なお、上記ステップ１，１１及び２１の直後に作動した前記タイマーは、例えば、上記ステップ１の直前等、上記フローチャート中の適宜箇所でリセットされる。
【００６４】
よって、図５〜図７に示す制御動作によれば、操作スイッチ４１（４２又は４３）のオン状態が所定時間以上継続した場合に、この状態を、報知部４４によって報知することができる。
したがって、例えば、リモコン送信機４０が車のダッシュボードやバック等の中に収納された操作スイッチ４１（４２又は４３）が物に押された場合や、リモコン送信機４０上に物が載せられて操作スイッチ４１（４２又は４３）が押された場合、故障等により操作スイッチ４１（４２又は４３）が導通状態となった場合等に、その状態を報知部４４により報知し、操作者等に認知させることができる。このため、操作者等は、操作スイッチ４１（４２又は４３）をオフ状態に戻す操作をして、バッテリー４７の消耗を防ぐことができる。
また、同フローチャート中の制御動作中に、所定の操作スイッチ４１（４２または４３）と他の操作スイッチの組み合わせ操作により、該組み合わせ操作に応じた特定の指令を送信することができる。
【００６５】
なお、図５〜図７は、リモコン送信機４０の制御をわかり易く説明するためのフローチャートの一例であり、必ずしも通電状態の制御回路４５が行う処理のみを示すものではない。例えば、図示例において、ステップ１，１１及び２１において全てＮＯへ移行する処理には、制御回路４５が電源オフの場合を含むため、この場合には、これらステップ１、１１及び２１の処理を、通電状態の制御回路４５が行うわけではない。
【００６６】
また、上記形態では、特に応答性の良好な態様として、前記操作スイッチ４１（４２又は４３）がオン状態になった直後に、通常動作として前記操作スイッチに対応する送信信号を送信回路４６から送信し（ステップ４，１４，２４参照）、この送信の後に、前記オン状態が所定時間以上継続したか否かを判断する（ステップ６，１６，２６参照）ようにしたが、他例としては、操作スイッチ４１（４２又は４３）がオン状態になった直後に前記オン状態が所定時間以上継続したか否かを判断し、この判断に応じて前記通常動作または所定動作（ステップ７，１７，２７参照）を行うようにすることも可能である。
【００６７】
また、上記形態によれば、報知部４４の報知として光及び／又は音を発する態様としたが、他例としては、前記報知として振動モータ（図示せず）による振動を発する態様や、警報無線信号を送信回路４６から発信する態様等とすることも可能である。
【００６８】
また、上記形態によれば、報知部４４による報知（ステップ７，１７，２７）を操作スイッチ４１（４２又は４３）のオフ操作により停止するようにしたが、他例としては、報知部４４による報知を、所定時間後に自動的に停止するようにすることも可能である。この構成によれば、報知部４４の報知によるバッテリー４７の消費を低減することができる。
【００６９】
また、上記形態によれば、何れの操作スイッチ４１（４２又は４３）のオン状態が所定時間（例えば約１０秒間）以上継続した場合に、報知部４４による警報が発せられるようにしたが、例えば停止スイッチ４２等、所定の操作スイッチが所定時間以上継続した場合には、報知部４４による警報を発しない態様としてもよい。さらに、操作スイッチ４１（４２又は４３）に応じて、前記所定時間を異ならせるようにしてもよい。
【００７０】
また、上記形態によれば、操作スイッチ４１（４２又は４３）のオン状態が所定時間以上継続した場合に、通常動作とは異なる動作として報知部４４による報知を行って、操作者等による手動の解除操作を促すようにしているが、他例としては、操作スイッチ４１（４２又は４３）のオン状態が所定時間以上継続した場合に、通常動作とは異なる動作として、制御回路４５等の電源回路を遮断（すなわち、バッテリー４７の出力回路を遮断）する構成とすることも可能である。この構成において、前記遮断の後の動作は、前記遮断された回路を手動復帰する態様や、他の検知回路等の作動により自動復帰する態様等とすることが可能である。
【００７１】
また、上記形態によれば、操作スイッチ４１，４２，４３の各々は、オン信号やオフ信号を、閉接点信号又は開接点信号等の無電圧信号として出力する構成としたが、他例としては、前記オン信号及びオフ信号を有電圧信号で出力する構成とすることも可能である。
【００７２】
また、上記形態によれば、リモコン送信機４０の操作スイッチとして三種類のスイッチを具備したが、他例としては、二種類の操作スイッチの組み合わせ操作により異なる制御指令を出力する態様や、単一の操作スイッチの操作回数により異なる制御指令を出力する態様等とすることも可能である。
【００７３】
また、上記形態によれば、操作スイッチとして、開スイッチ４１、停止スイッチ４２及び閉スイッチ４３を例示したが、この操作スイッチの他例としては、開閉装置１をリモコン送信機４０側で登録モードに切り換える切替スイッチや、１回押されると所定の制御信号（例えば、イグニッションキーのオンに連動させて開閉装置を自動開放させる信号等のように、間接的な開放動作を指示する信号等）を間欠的に送信し続けるようにしたスイッチ、あるいは前述した以外の他の機能を有するスイッチ等とすることも可能である。
【００７４】
また、上記形態によれば、操作スイッチのオン状態が所定時間以上継続している場合には、当該操作スイッチについての信号を送信しないようにしたが、他例としては、ある特定の操作スイッチ（例えば停止スイッチ）については、他のスイッチの信号と比較して重要な信号であり送信することが望ましい等の理由で、オン状態が所定時間以上継続している場合にも、所定時間間隔で間欠的に当該スイッチについての信号が送信されるようにしてもよい。
【００７５】
また、上記形態によれば、本発明に係る開閉装置制御システムをシャッター装置に適用した一例を示したが、他例としては、同開閉装置制御システムを、オーバーヘッドドアや、ドア、雨戸を含む引戸、窓、ロールスクリーン、ブラインド、オーニング装置、門扉、ゲート、スライディングウォール装置等の開閉装置に適用することも可能である。
【符号の説明】
【００７６】
１：開閉装置
１０：開閉体
２３：受信部
４０：リモコン送信機
４１：開スイッチ（操作スイッチ）
４２：停止スイッチ（操作スイッチ）
４３：閉スイッチ（操作スイッチ）
４４：報知部
４５：制御回路
４６：送信回路
４７：バッテリー
【図１】
2014179759.tif 000003
【図２】
2014179759.tif 000004
【図３】
2014179759.tif 000005
【図４】
2014179759.tif 000006
【図５】
2014179759.tif 000007
【図６】
2014179759.tif 000008
【図７】
2014179759.tif 000009